(57)【要約】【課題】　光軸の調整を容易に行うことができる光モジュールを提供する。【解決手段】　光モジュール１は、光学部品３０と、光素子１４を内蔵する光モジュール本体１０と、筒状をなす金属製のスリーブ４０と、を備える。光学部品３０は、光ファイバ挿通孔３６を有する非金属製のフェルール３２と、フェルール３２の一部を被覆する金属製のホルダ３４と、を有する。この光モジュール１では、ホルダ３４の一部がスリーブ４０に挿通されて溶接により位置決め固定され、スリーブ４０が光モジュール本体１０の取り付け部２９に対して溶接により位置決め固定されている。【選択図】　図１
2004078205.tif 000002
【特許請求の範囲】
【請求項１】
光ファイバ挿通孔を有する非金属製のフェルールと前記フェルールの一部を被覆する金属製のホルダとを有する光学部品と、
　光素子を内蔵する光モジュール本体とを備えた光モジュールであって、
　筒状をなす金属製のスリーブを更に備え、
　前記ホルダの一部が前記スリーブに挿通されて位置決め固定され、
　該スリーブが前記光モジュール本体に対して位置決め固定されている光モジュール。
【請求項２】
光コネクタガイドを更に備え、
　前記光コネクタガイドは、
　　所定軸に沿って延びる一対の側壁部と、
　　前記一対の側壁部の外面に設けられる突起部と、
　　前記所定軸と交差して設けられる前壁部と、
　　前記前壁部に設けられる前記フェルールが挿通される挿通孔と、
を有しており、
　前記光コネクタガイドは、前記前壁部の前記挿通孔に前記フェルールが挿通され、該前壁部の内面に前記ホルダが当接されて位置決めされている請求項１に記載された光モジュール。
【請求項３】
ガイド部品を更に備え、
　前記ガイド部品は、
　　前記所定軸の方向に伸びる側壁と、
　　前記側壁によって形作られており前記フェルールを受け入れる孔と、
　　前記所定軸に交差する面に沿って伸びる位置決め面と
　を有しており、
　前記ホルダは、前記ガイド部品の前記位置決め面に突き当てられている、請求項１に記載された光モジュール。
【請求項４】
前記ガイド部品の前記側壁は、前記所定軸の方向に配列された第１および第２の部分を有しており、
　前記側壁の前記第１の部分は、当該光モジュールに接続される光コネクタプラグのフェルールを受け入れ可能なように設けられており、
　前記側壁の前記第２の部分は、前記光学部品の前記フェルールを受け入れ可能なように設けられた内側面を有している、請求項３に記載された光モジュール。
【請求項５】
前記ガイド部品の前記側壁は、さらに、第３の部分および段差を有しており、
　前記第１〜第３の部分は、前記所定軸に沿って配列されており、
　前記段差は、前記第２の部分と前記第３の部分との間に位置しており、
　前記側壁の前記第３の部分は、前記光学部品の前記ホルダをガイドする内側面を有しており、
　前記ガイド部品の前記位置決め面は前記孔の前記段差に位置している、請求項４に記載された光モジュール。
【請求項６】
前記ガイド部品は一端および他端を有しており、
　前記孔は、前記ガイド部品の前記一端から前記他端まで伸びており、
　前記ガイド部品の前記位置決め面は、前記ガイド部品の前記一端に位置している、請求項４に記載された光モジュール。
【請求項７】
前記スリーブは、前記所定軸の方向に配列された第１および第２の部分を有しており、
　前記ホルダは、前記所定軸の方向に配列された第１および第２の部分を有しており、
　前記ホルダの前記第２の部分は、前記スリーブの前記第１の部分に位置しており、
　前記ホルダの前記第１の部分は一端を有しており、
　前記ホルダの一端は、前記ガイド部品の前記位置決め面に突き当てられており、
　前記スリーブの前記第２の部分は、一端を有しており、
　前記スリーブの前記一端は、前記所定軸に交差する面に沿って伸びる端面を有しており、
　前記スリーブの前記一端は、前記光モジュール本体上に位置している、請求項３〜請求項６のいずれかに記載された光モジュール。
【請求項８】
レセプタクルを更に備えており、
　前記ガイド部品は、前記側壁の外面に設けられる突起を有しており、
　前記レセプタクルは、前記ガイド部品の前記突起に突き当てられている、請求項３から請求項７のいずれかに記載された光モジュール。
【請求項９】
前記光モジュール本体は気密に封止されている、請求項１から請求項８のいずれかに記載された光モジュール。
【請求項１０】
前記光学部品の前記フェルールと前記光モジュール本体の前記光素子との間に設けられた光アイソレータを備える請求項１〜請求項９のいずれか一項に記載された光モジュール。
【請求項１１】
前記ホルダは筒状をなし、前記フェルールの一部が前記ホルダに圧入されている請求項１〜請求項１０のいずれか一項に記載された光モジュール。
【請求項１２】
前記フェルールは、所定外径の径大部と、該径大部より外径の小さい径小部と、該径大部と該径小部との間に設けられた段差部とを有し、
　前記フェルールは、前記径小部が前記ホルダに圧入され、前記段差部が該ホルダに当接されて位置決めされている、請求項１〜請求項１０のいずれか一項に記載された光モジュール。
【請求項１３】
前記フェルールはジルコニアから形成されている請求項１〜請求項１２のいずれか一項に記載された光モジュール。
【発明の詳細な説明】
【技術分野】
【０００１】
　本発明は、光モジュールに関する。
【背景技術】
【０００２】
　特許文献１には、光モジュールが記載されている。この光モジュールでは、光ファイバは非金属製のフェルールを介してパッシブアライメント技術を用いてシリコンベンチ上に搭載されることで、ＬＤチップに対して位置決めされている（例えば特開平１１−２５８４６７号公報）。
【特許文献１】特開平１１−２５８４６７号公報
【発明の開示】
【発明が解決しようとする課題】
【０００３】
　しかしながら、パッシブアライメント技術では、光ファイバの位置調整の自由度が低かったため、光ファイバの位置を微調整して所望の光出力が得られるように光軸調整を行うことが難しかった。
【０００４】
　本発明は、上記課題を解決するために為されたものであり、光軸調整の容易化を可能とする光モジュールを提供することを目的とする。
【課題を解決するための手段】
【０００５】
　本発明に係る光モジュールは、（ａ）光ファイバ挿通孔を有する非金属製のフェルールと前記フェルールの一部を被覆する金属製のホルダとを有する光学部品と、（ｂ）光素子を内蔵する光モジュール本体と、（ｃ）筒状をなす金属製のスリーブとを備えた光モジュールであって、ホルダの一部がスリーブに挿通されて位置決め固定され、スリーブが光モジュール本体に対して位置決め固定されている。
【０００６】
　この光モジュールは、上記した光学部品と金属製のスリーブとを備えることで、光モジュール本体に対して３軸のアクティブアライメントが可能となり、光軸調整を容易に行うことができる。
【０００７】
　本発明に係る光モジュールでは、（ｄ）光コネクタガイドを更に備え、光コネクタガイドは、所定軸に沿って延びる一対の側壁部と、一対の側壁部の外面に設けられる突起部と、所定軸と交差して設けられる前壁部と、前壁部に設けられるフェルールが挿通される挿通孔と、を有する。光コネクタガイドは、前壁部の挿通孔にフェルールが挿通され、前壁部の内面にホルダが当接されて位置決めされていると好ましい。
【０００８】
　このように、光コネクタガイドを備えることで、外部コネクタとの接続が可能となり、また、この光コネクタガイドは、ホルダが前壁部の内面に当接されて位置決めされることで、光コネクタガイドと光学部品との位置関係が一定に保たれる。
【０００９】
　本発明に係る光モジュールは、（ｅ）ガイド部品を更に備えることができる。ガイド部品は、前記所定軸の方向に伸びる側壁と、前記側壁によって形作られており前記フェルールを受け入れる孔と、前記所定軸に交差する面に沿って伸びる位置決め面とを有しており、前記ホルダは、前記ガイド部品の前記位置決め面に突き当てられている。
【００１０】
　本発明の光モジュールでは、ホルダがガイド部品の位置決め面に突き当てられることによって、ガイド部品が光学部品に位置合わせされる。ガイド部品は、光ファイバの光軸の方向に関して位置決めされたホルダに対して位置合わせされる。
【００１１】
　本発明に係る光モジュールでは、前記ガイド部品の前記側壁は、前記所定軸の方向に配列された第１および第２の部分を有しており、前記側壁の前記第１の部分は、当該光モジュールに接続される光コネクタプラグのフェルールを受け入れ可能なように設けられており、前記側壁の前記第２の部分は、前記光学部品の前記フェルールを受け入れ可能なように設けられた内側面を有している。
【００１２】
　この光モジュールは、ピグテール構造ではなく、レセプタクル構造を有することができる。
【００１３】
　本発明に係る光モジュールでは、前記ガイド部品の前記側壁は、さらに、第３の部分および段差を有しており、前記第１〜第３の部分は、前記所定軸の方向に配列されており、前記段差は、前記第２の部分と前記第３の部分との間に位置しており、前記側壁の前記第３の部分は、前記光学部品の前記ホルダをガイドする内側面を有しており、前記ガイド部品の前記位置決め面は前記孔の前記段差に位置している。
【００１４】
　光学部品のホルダがガイド部品の内側面にガイドされながら、ホルダをガイド部品の位置決め面に突き当てることができる。
【００１５】
　本発明に係る光モジュールでは、前記ガイド部品は一端および他端を有しており、前記ガイド部品の前記孔は、前記ガイド部品の前記一端から前記他端まで伸びており、前記ガイド部品の前記位置決め面は、前記ガイド部品の前記一端に位置している。
【００１６】
　光学部品のホルダは、ガイド部品の内側面によってガイドされながら、ガイド部品の位置決め面に突き当たる。
【００１７】
　本発明に係る光モジュールは、前記スリーブは、前記所定軸の方向に配列された第１および第２の部分を有しており、前記ホルダは、前記所定軸の方向に配列された第１および第２の部分を有しており、前記ホルダの前記第２の部分は、前記スリーブの前記第１の部分に位置しており、前記ホルダの前記第１の部分は一端を有しており、前記ホルダの一端は、前記ガイド部品の前記位置決め面に突き当てられており、前記スリーブの前記第２の部分は、前記スリーブの一端を含んでおり、前記スリーブの前記一端は、前記所定軸に交差する面に沿って伸びる端面を有しており、前記スリーブの前記一端は、前記光モジュール本体上に位置している。
【００１８】
　光学部品は、スリーブの一端の端面を用いて光モジュール本体上において調芯される。この調芯によって、光モジュール本体内の光素子は光学部品に光学的に結合される。
【００１９】
　本発明に係る光モジュールでは、光モジュール本体は気密封止されていると好ましい。このようにすれば、光モジュール本体に内蔵される光素子の信頼性を長期に亘って高く維持することが可能となる。
【００２０】
　本発明に係る光モジュールは、光学部品のフェルールと光モジュール本体の光素子との間に設けられた光アイソレータを備えると好ましい。このようにすれば、フェルールの光ファイバ挿通孔に挿通される光ファイバからの反射光が光素子に戻ることを抑制でき、伝送特性の向上が図られる。
【００２１】
　本発明に係る光学部品は、光ファイバ挿通孔を有する非金属製のフェルールと、フェルールの一部を被覆する金属製のホルダと、を備える。
【００２２】
　この光学部品は、非金属製のフェルールの一部を被覆するホルダを備えている。そして、このホルダは金属製であるため、ホルダを介して溶接固定することでフェルールを位置決めすることができる。よって、この光学部品を備えた光モジュールでは、光ファイバの位置を微調整することが可能となって、光軸調整を容易に行うことができる。
【００２３】
　本発明に係る光学部品では、ホルダは筒状をなし、フェルールの一部がホルダに圧入されていると好ましい。このような構造を有することにより、光学部品の製造が容易になる。
【００２４】
　本発明に係る光学部品では、フェルールは、所定外径の径大部と、径大部より外径の小さい径小部と、径大部と径小部との間に設けられた段差部とを有し、フェルールは、径小部がホルダに圧入され、段差部がホルダに当接されて位置決めされていると好ましい。このような構造を有することで、ホルダに対するフェルールの位置決め精度の向上が図られる。
【００２５】
　本発明に係る光学部品では、フェルールはジルコニアから形成されていると好ましい。このようにすれば、ジルコニアは加工性に優れるため、フェルールの寸法精度の向上が図られる。
【００２６】
　本発明の上記の目的および他の目的、特徴、並びに利点は、添付図面を参照して進められる本発明の好適な実施の形態の以下の詳細な記述から、より容易に明らかになる。
【発明の効果】
【００２７】
　本発明によれば、光軸調整の容易化を可能とする光学部品及び光モジュールが提供される。
【発明を実施するための最良の形態】
【００２８】
　本発明の知見は、例示として示された添付図面を参照して以下の詳細な記述を考慮することによって容易に理解できる。以下、添付図面を参照して本発明の実施形態について説明する。図面の説明において同一の要素には同一の符号を付する。
【００２９】
　（第１の実施の形態）
　図１（Ａ）は、本実施形態に係る光モジュールを示す斜視図である。また図１（Ｂ）は、図１（Ａ）におけるＩＢ−ＩＢ線断面図である。
【００３０】
　図１に示すように、光モジュール１は、光モジュール本体１０と、光学部品３０と、スリーブ４０とを備えている。光モジュール本体１０は、パッケージ１２と、半導体発光素子１４と、駆動素子１６と、モニタ用受光素子１８と、集光レンズ２０と、複数のリード２２と、を有している。
【００３１】
　パッケージ１２は、底面部２４と側面部２６と上面部２８とを含んでいる。底面部２４の一部２４ａと側面部２６とは一体で構成されている。底面部２４の一部２４ａは、アルミナセラミックから形成されている。さらに、底面部２４は、金属ブロック２４ｂを含む。この底面部２４は、複数の素子を搭載する搭載部材としての機能をも有する。すなわち、半導体発光素子１４、駆動素子１６、モニタ用受光素子１８、及び集光レンズ２０は、底面部２４上に所定軸（図１（Ａ）のＺ軸）に沿って搭載されている。このように、アルミナセラミックおよび金属から形成された底面部２４上に半導体発光素子１４が搭載されているため、パッシブアライメント技術により半導体発光素子がシリコンベンチ上に搭載されていた従来の光モジュールのように、大きな寄生容量が生じるおそれがなく、半導体発光素子１４の発光パワーのバラツキが抑制され、光モジュール１の出射特性の安定化が図られる。
【００３２】
　側面部２６は、アルミナセラミックから形成されている。この側面部２６は、所定軸（図１（Ａ）のＺ軸）に沿って伸びる一対の側壁２６ａと、所定軸Ｚに交差する前壁２６ｂおよび後壁２６ｃとを含んでいる。前壁２６ｂには、半導体発光素子１４から出射された光を通すために、貫通孔２７が設けられている。また前壁２６ｂの貫通孔２７が設けられた部位における外面には、後述するスリーブ４０を取り付けるための筒状の取り付け部２９が設けられている。この取り付け部２９は、内径の小さい径小部と内径の大きい径大部とを有しており、径大部にはパッケージ１２内を封止するためのハーメチックガラス２５が配置されている。この取り付け部２９は、スリーブ４０との溶接を可能とすべくコバール等の金属から形成されており、前壁２６ｂの貫通孔２７と同軸に設けられている。
【００３３】
　上面部２８は、コバールといった金属から形成されている。この上面部２８は、側面部２６の上部開口端を塞いでいる。
【００３４】
　この光モジュール本体１０では、取り付け部２９にはハーメチックガラス２５が配置されており、また上面部２８がシールリング２１を介してパッケージ１２の側面部２６に気密に組み付けられているため、パッケージ１２内が気密に封止されている。これにより、光モジュール本体１０に内蔵される半導体発光素子１４の信頼性を長期に亘って高く維持することが可能となる。
【００３５】
　半導体発光素子１４は、底面部２４の上面に搭載されている。この半導体発光素子１４は、駆動素子１６から提供された変調信号に基づいて変調された光を出射する。半導体発光素子１４としては、例えば半導体レーザ素子を用いることができる。
【００３６】
　駆動素子１６は、半導体発光素子１４の背面側において、半導体発光素子１４と隣接するように底面部２４上に搭載されている。この駆動素子１６は、リード２２を介して入力された変調信号を受ける。変調信号は、半導体発光素子１４を変調するための信号である。駆動素子１６は、変調信号を増幅して駆動信号を生成する。駆動信号は、半導体発光素子１４へ提供される。
【００３７】
　モニタ用受光素子１８は、搭載部材１９の側面に固定されており、この搭載部材１９が底面部２４上に搭載されている。より詳細には、モニタ用受光素子１８が固定された搭載部材１９は、半導体発光素子１４との間で駆動素子１６を挟むように、半導体発光素子１４の背面側において底面部２４上に搭載されている。このモニタ用受光素子１８は、半導体発光素子１４の発光状態をモニタする。モニタ用受光素子１８としては、例えばフォトダイオードを用いることができる。
【００３８】
　集光レンズ２０は、底面部２４上に搭載されている。より詳細には、集光レンズ２０は、駆動素子１６との間で半導体発光素子１４を挟むように、半導体発光素子１４の光が出射される前面側において底面部２４上に搭載されている。この集光レンズ２０は、上下面が互いに平行になるように、ボールレンズに平坦加工を施したものである。このように、集光レンズ２０は下面が平坦であるため、底面部２４上に高い位置決め精度で搭載することができる。
【００３９】
　複数のリード２２は、パッケージ１２の底面から外方に延びている。この複数のリード２２を介して、光モジュール１と外部との信号のやりとりが行われる。
【００４０】
　光学部品３０は、図１及び図２に示すように、フェルール３２と、ホルダ３４とを有している。フェルール３２は、ジルコニア等のセラミックから形成されている。特にジルコニアから形成すれば、ジルコニアは加工性に優れるため、フェルール３２の寸法精度の向上が図られる。このフェルール３２は、所定外径の径大部３２ｂと、径大部３２ｂより外径の小さい径小部３２ａとを有し、径小部３２ａと径大部３２ｂとの間には段差部３２ｃが設けられている。これら径小部３２ａと径大部３２ｂとには連続して光ファイバ挿通孔３６が設けられており、この挿通孔３６内に光ファイバ３７が挿入されている。フェルール３２の出射端側は、外部コネクタとの接続の容易化を図るために角部が面取りされ、テーパー面３２ｄが形成されている。
【００４１】
　ホルダ３４は、ステンレス等の金属から形成されている。このホルダ３４は外形が筒状をなし、筒内にフェルール３２の径小部３２ａが圧入されている。このように圧入によりホルダ３４とフェルール３２とを固定する構造を有するため、光学部品３０の製造の容易化が図られる。そして、段差部３２ｃがホルダ３４に当接されることで、ホルダ３４に対してフェルール３２が位置決めされている。これにより、ホルダ３４に対するフェルール３２の位置決め精度の向上が図られている。
【００４２】
　なお、光学部品３０のフェルール３２は、図２に示すように、径小部３２ａ、径大部３２ｂ、及び段差部３２ｃを有する構成に限らず、図３に示すように、外形が同一径のものであってもよい。そして、図３（ｂ）に示すように、フェルール３２の入力端側の端面３２ｅは、斜め研磨されていてもよい。
【００４３】
　上記したように、フェルール３２は非金属製であるが、図２及び図３に示すように、フェルール３２は金属製のホルダ３４に一端が圧入されて被覆されることで、後述する金属製のスリーブ４０に対してＹＡＧレーザ溶接により固定することが可能となる。
【００４４】
　スリーブ４０は、ステンレス等の金属から形成されており、外形が筒状をなしている。このスリーブ４０内に、光学部品３０のホルダ３４が挿通され、スリーブ４０に対して光学部品３０が位置決めされて、ＹＡＧレーザ溶接により固定されている。そして、このスリーブ４０が、パッケージ１２の前壁２６ｂの外面に設けられた取り付け部２９に対して位置決めされ、ＹＡＧレーザ溶接により固定されている。これら光学部品３０、スリーブ４０、及び取り付け部２９を介して、光学部品３０と光モジュール本体１０とが位置合わせされている。これにより、光学部品３０のフェルール３２内に挿通された光ファイバと、光モジュール本体１０に内蔵された半導体発光素子１４との光学的な結合が図られる。
【００４５】
　ここで、上記した光学部品３０、スリーブ４０、及び取り付け部２９を利用した、光モジュール本体１０に対する光学部品３０のＸＹＺ方向に亘る３軸のアクティブアライメントによる位置決めについて説明する。
【００４６】
　まず、所定の光出力が得られるように、ＸＹＺ方向の３軸の仮調芯を行う。Ｚ軸方向の調芯は、スリーブ４０内で光学部品３０のホルダ３４を摺動させて行う。ＸＹ方向の調芯は、取り付け部２９に対してスリーブ４０をスライドさせて行う。次に、Ｚ軸方向の調芯が終了した後、スリーブ４０に対して光学部品３０のホルダ３４をＹＡＧレーザ溶接して固定する。次に、スリーブ４０に対するホルダ３４の溶接により生じたＸＹ方向の微小なズレを修正する。最後に、パッケージ１２の取り付け部２９に対してスリーブ４０をＹＡＧレーザ溶接して固定する。基本的に、ＸＹ方向の調芯は、ベストポジションを狙う。このベストポジションは、図４に示すように、ＸＹ方向のトレランス（ずれ）に対する結合効率の変化が小さいため、このポジションにくるようにＸＹ方向の調芯を行うことで、安定した結合効率を得ることができる。
【００４７】
　本実施形態に係る光モジュール１は、図５に示すように、更に光コネクタガイド５０を備えている。図５（Ａ）は、光コネクタガイド５０を取り付けた状態の光モジュール１を示す斜視図である。また図５（Ｂ）は、図５（Ａ）におけるＶＢ−ＶＢ線断面図である。更に、図５（Ｃ）は、図５（Ｂ）の光コネクタガイド５０付近を拡大して示す斜視図である。
【００４８】
　図５に示すように、光コネクタガイド５０は、Ｚ軸に沿って延びる一対の側壁部５２、上壁部５４及び下壁部５６と、Ｚ軸と交差して設けられる前壁部５８と、を有し、後端が開口した箱状の部材である。
【００４９】
　一対の側壁部５２の外面には、それぞれ光コネクタプラグ７０の係合爪７７と係合される突起部５２ａがＹ軸方向に沿って設けられている。また、これら一対の側面部５２には、光コネクタプラグ７０を取り付ける際にこの両者の成す角度を規定するためのガイドリブ５２ｂがＺ軸方向に沿って設けられている。このガイドリブ５２ｂは、その起端が突起部５２ａに達する。ガイドリブ５２ｂの末端は、前壁部５８の近傍まで延びている。ガイドリブ５２ｂの末端にはテーパーが設けられており、光コネクタプラグ７０のガイド溝７８に挿入し易くなっている。なお、光モジュール１と光コネクタプラグ７０との結合については後述する。前壁部５８には、光学部品３０のフェルール３２が挿通される挿通孔５８ａが設けられている。
【００５０】
　この光コネクタガイド５０は、前壁部５８の挿通孔５８ａにフェルール３２が挿通された状態で、その内部にホルダ３４及びスリーブ４０を収容し、ホルダ３４が前壁部５８の内面に当接されて位置決め固定されている。このように、ホルダ３４が前壁部５８の内面に当接されて位置決めされることで、光コネクタガイド５０と光学部品３０との位置関係が一定に保たれる。これにより、図５に示すように、フェルール３２の前端の位置と突起部５２ａの位置との間の寸法を管理することができ、光コネクタプラグ７０側のスプリング７５のバネ力を管理することが可能となる。その結果、光コネクタプラグ７０の装着時における損失の低減を図ることが可能となる。
【００５１】
　本実施形態に係る光モジュール１は、図６に示すように、光コネクタガイド５０を介して光コネクタプラグ７０と結合される。この光コネクタプラグ７０は、いわゆるＥＺコネクタと呼ばれる樹脂製の簡易コネクタである。
【００５２】
　光コネクタプラグ７０は、図６及び図７に示すように、一端がフェルール７９に挿入固定された光ファイバ７１と、このフェルール７９を位置決めし固定するスリーブ７４と、一方から光ファイバ７１が導入される導入口７２を有する光コネクタプラグ筐体７３とを備えている。光コネクタプラグ筐体７３の導入口７２周囲の内壁と上記スリーブ７４とで挟まれる領域には、圧縮コイルバネ７５が収納されており、光ファイバ７１は、この圧縮コイルバネ７５の中央を通過している。
【００５３】
　光コネクタプラグ筐体７３は、フェルール７９に挿入固定されている光ファイバ７１の中心軸に沿って延び、この中心軸と直交する２方向から、光モジュール１の光コネクタガイド５０を挟むための一対の弾性部７６を有している。弾性部７６の先端部分の内壁面には、光コネクタガイド５０の一対の側壁部５２にある突起部５２ａと係合するための係合爪７７が設けられている。係合爪７７の先端は、突起部５２ａと容易に嵌合するように、弾性部の外面から内側に向く方向にテーパーが設けられている。これに対応して、光コネクタガイド５０の突起部５２ａには、光コネクタプラグ７０の係合爪７７が当たる部分にテーパーが設けられている。このため、光コネクタプラグ７０の一対の弾性部７６の間に光コネクタガイド５０を挿入しようとすると、係合爪７７が突起部５２ａを乗り越えるために弾性部７６は弾性的に外向きにやや広がり、係合爪７７が突起部５２ａを乗り越えると、再び元に戻る。このため、係合爪７７が突起部５２ａを容易に乗り越えて、係合爪７７と突起部５２ａとが噛み合う。これにより、光コネクタプラグ７０の抜けが防止されている。特に、光コネクタプラグ７０のスリーブ７４と光ファイバ７１の導入口７２の内壁との間には圧縮コイルバネ２５が設けられているので、一旦、突起部５２ａと係合爪７７が噛み合うと、係合爪７７が突起部５２ａから受ける力と圧縮コイルバネ２５の反発力とによって、光コネクタプラグ７７の抜けが一層防止されている。
【００５４】
　加えて、弾性部７６の内壁面にある係合爪７７の一部分には、光コネクタガイド５０のガイドリブ５２ｂの位置及び形状に対応するように、ガイド溝７８が設けられている。このガイド溝７８は、光コネクタプラグ７０を取り付ける際に、光モジュール１に対する光コネクタプラグ７０の挿入角度を規定する。よって、光コネクタプラグ７０を光モジュール１に装着するとき、フェルール３２に荷重が加わることを防止することができる。また、光コネクタプラグ７０に光モジュール１が結合された後も、フェルール３２及びガイドリブ５２ｂを含む平面に垂直な方向の荷重がフェルール３２に加わることを防止することができる。
【００５５】
　図６に示すように、光モジュール１に光コネクタプラグ７０が取り付けられると、光モジュール１のフェルール３２は、光コネクタプラグ７０のスリーブ７４に収納され固定される。また、このスリーブ７４には、光コネクタプラグ７０の一方から導入された光ファイバ７１がフェルール７９により挿入固定されて位置決めされている。このため、双方の光ファイバのコアの中心軸は同軸に合わされて、フェルール３２に挿入固定された光ファイバの端面と、光コネクタプラグ７０の一端から導入されフェルール７９に保持された光ファイバ７１の端面とが光学的に結合される。
【００５６】
　以上、本実施形態に係る光モジュール１では、スリーブ４０に対して光学部品３０のホルダ３４を摺動させＺ軸方向の位置決めをした後、スリーブ４０に対してホルダ３４を溶接固定することができる。そして、光モジュール本体１０の取り付け部２９に対してスリーブ４０をスライドさせＸＹ方向の位置決めをした後、取り付け部２９に対してスリーブ４０を溶接固定することができる。この構造では、３軸方向にフェルール内３２の光ファイバの位置を微調整することが可能となって、所望の光出力が得られるように光軸調整を容易に行うことができる。
【００５７】
　そして、本実施形態に係る光モジュール１では、上記のように３軸のアクティブアライメントにより光軸調整を行うことができるため、従来の光モジュールのように、パッシブアライメント技術によってシリコンベンチ上に半導体発光素子を搭載して位置決めする必要がなく、半導体発光素子１４は、金属ブロック２４ｂ上に搭載される。その結果、従来の光モジュールのように、大きな寄生容量が生じるおそれがなく、半導体発光素子の発光パワーのバラツキが抑制され、光モジュール１の出射特性の安定化、特に毎秒１０ギガビット（Ｇｂｐｓ）以上の高速での出射特性の安定化を図ることが可能となる。
【００５８】
　また、パッシブアライメント技術により光ファイバの位置決めを行う従来の光モジュールは、半導体発光素子に対して光ファイバがバットジョイント（突付け）される構造のため、半導体発光素子とフェルールとの距離を広く取ることができなかったが、本実施形態に係る光モジュール１では、上記したようなアクティブアライメント技術を採用することで、半導体発光素子１４とフェルール３２との距離を広く取ることができる。従って、従来の光モジュールでは、半導体発光素子とフェルールとの間にレンズを配置するスペースがなく、半導体発光素子と光ファイバとの結合効率が低く１０ｄＢ程度が限界であったが、本実施形態に係る光モジュール１は、半導体発光素子１４とフェルール３２との間に集光レンズ２０を配置することができるため、結合効率の向上が図られる。
【００５９】
　また、本実施形態に係る光モジュール１は、半導体発光素子１４とフェルール３２との間の距離を広く取ることができるため、半導体発光素子１４とフェルール３２との間にハーメチックガラス２５を配置することが可能となり、光モジュール本体１０の気密封止が可能となって、半導体発光素子１４の信頼性を長期に亘って高く維持することが可能となる。
【００６０】
　本発明は上記した実施形態に限定されることなく、種々の変形が可能である。
【００６１】
　図８は、光アイソレータ８０を備えた光モジュール１を示す断面図である。例えば、光学部品３０のフェルール３２と光モジュール本体１０の半導体発光素子１４との間に光アイソレータ８０を設けてもよい。光アイソレータ８０は、円筒状の磁石８２とともに、光学部品３０のホルダ３４内においてフェルール３２の入力端側に固定されている。これにより、フェルール３２の光ファイバ挿通孔３６に挿通された光ファイバからの反射光が半導体発光素子１４に戻ることを抑制でき、伝送特性の向上、特に毎秒１０ギガビット（Ｇｂｐｓ）以上の速度での伝送特性の向上が図られる。
【００６２】
　また、本実施形態に係る光モジュールでは、Ｚ軸方向の位置決め精度が確保されるならば、スリーブ４０を用いることなく、光学部品３０のホルダ３４を取り付け部２９に対してスライドさせてＸＹ方向の位置決めを行い、取り付け部２９に対してホルダ３４を直接に溶接固定してもよい。
【００６３】
　また、上記した実施形態では、光素子として半導体発光素子１４を備える発光モジュールについて説明したが、光モジュールは光素子として受光素子を備える受光モジュールであってもよい。
【００６４】
　図９（Ａ）は、本実施形態に係る光モジュールの別の変形例を示す断面図である。図９（Ａ）を参照すると、光モジュール１ａは、光モジュール１の光モジュール本体１０に替えて光モジュール本体１０ａを有する。光モジュール本体１０ａは、半導体発光素子１４と、レンズ２０と、熱電子冷却素子８３と、搭載部品８５とを含んでいる。搭載部品８５は、熱電子冷却素子８３上に搭載されている。熱電子冷却素子８３としては、ペルチェ素子を用いることができる。半導体発光素子１４といった光素子およびレンズ２０は、搭載部品８５の搭載面８５ａ上に設けられている。半導体発光素子１４は、ヒートシンク８９上に搭載されており、ヒートシンク８９が、搭載面８５ａ上に搭載されている。搭載面８５ａ上において、レンズ２０および半導体発光素子１４は光学的に調芯されている。この調芯により、半導体発光素子１４からの光は、レンズ２０を介してハーメチック・ガラス２５といった光学窓に向って進み、気密に封止されたパッケージ１３の外へ該光学窓を通して出射される。光モジュール本体１０ａは、サーミスタといった測温素子を含むことができる。
【００６５】
　光モジュール本体１０ａは、モニタ用受光素子１８を含むことができる。モニタ用受光素子１８は、サブマウント９１を介して搭載部材８３の搭載面８３ａ上に設けられている。モニタ用受光素子１８は、半導体発光素子１４の後端面１４ａに光学的に結合されている。モニタ用受光素子１８は、半導体発光素子１４からの光ＬMをモニタして該光に応じた光電流を生成する。半導体発光素子１４の前端面１４ｂは、レンズ２０に光学的に結合されており、前端面１４ｂからの光ＬSは、レンズ２０に入射する。
【００６６】
　パッケージ１３は、底部１３ａ、前壁部１３ｂ、側壁部１３ｃ、後壁部１３ｄ、蓋部１３ｅを有している。一実施例では、パッケージ１３は、金属製であることができる。パッケージ１３では、蓋部１３ｅは、底部１３ａ、前壁部１３ｂ、側壁部１３ｃおよび後壁部１３ｄにシーム溶接されて、シーム溶接部分が形成される。シーム溶接部分および光学窓により、気密に封止されたキャビティ１３ｆが形成される。熱電子冷却素子８３は、パッケージ１３の底部１３ａ上に設けられている。熱電子冷却素子８３からの熱は、パッケージ１３の底部１３ａに伝わる。別の実施例では、パッケージ１３は、図１に示されたパッケージ１２と同様に、セラミック製であることができる。パッケージ１３内には、半導体発光素子１４、モニタ用受光素子１８、熱電子冷却素子８３といった電子素子が収容されている。これらの電子素子は、ボンディングワイヤまたはリード線を介してパッケージ１３のリード端子に電気的に接続されている。
【００６７】
　光モジュール１ａでは、半導体発光素子１４の光軸は、軸Ａｘに沿って伸びている。光モジュール本体１０ａでは、モニタ用受光素子１８、半導体発光素子１４、レンズ２０、ハーメチック・ガラス２５、スリーブ４０が軸Ａｘに沿って配列されている。また、光モジュール１ａでは、半導体発光素子１４、受光素子１８、およびレンズ２０といった光学素子は、搭載面８５ａ上において光学的に調芯されている。この光モジュール１ａでは、スリーブ４０を用いて光学部品３０を光モジュール本体１０ａにおいて調芯することができる。光モジュール本体１０ａは、軸Ａｘに交差する面に沿って伸びる基準面１３ｇを有する。スリーブ４０は、基準面１３ｇ上において、Ｘ軸およびＹ軸の方向に関して調芯される。溶接部Ｗ１は、スリーブ４０を光モジュール１０ａの基準面（本実施例では、基準面１３ｇ）に固定している。また、光学部品３０は、スリーブ４０を用いてＺ軸の方向に関して調芯される。本実施例では、ホルダ３４の側面（外側面３４ａ）がスリーブ４０の側面（内側面４０ａ）に沿って伸びているので、光学部品３０がスリーブ４０に沿って移動できる。これらの調芯の結果、光学部品３０は、パッケージ１３内の半導体発光素子１４に光学的に結合される。
【００６８】
　光モジュール１ａでは、駆動素子１６がパッケージ１３内に設けられておらず、半導体発光素子１４は、パッケージ１３の外に設けられた駆動素子からリード端子を介して駆動信号を受ける。しかしながら、必要な場合には、光モジュール本体内に駆動素子を設けることができる。
【００６９】
　また、図９（Ｂ）は、本実施形態に係る光モジュールの更なる別の変形例を示す断面図である。図９（Ｂ）を参照すると、光モジュール１ｂが示されている。光モジュール１ｂは、光アイソレータ９３およびレンズ部品９５の少なくともいずれかを含むことができる。本実施例では、光モジュール１ｂの光モジュール本体１０ａは、光アイソレータ９３およびレンズ部品９５の両方を含む。光アイソレータ９３は、軸Ａｘに交差する面に沿って伸びる基準面９３ａと、ホルダ９３ｂと、アイソレーション部９３ｃとを有する。レンズ部品９５は、軸Ａｘに交差する面に沿って伸びる基準面９５ａと、レンズ９５ｂと、ホルダ９５ｃとを有する。光アイソレータ９３のホルダ９３ｂおよびレンズ部品９５のホルダ９５ｃは、例えば、金属製である。スリーブ４０は、光モジュール本体１０ａの基準面（本実施例では基準面９５ａ）上において、Ｘ軸およびＹ軸の方向に関して調芯される（以下、ＸＹ調芯と呼ぶ）。光アイソレータ９３は、基準面１３ｇ上において光軸の回りの回転角に関して調整される。溶接部Ｗ２は、調整された光アイソレータ９３を基準面１３ｇに固定している。溶接部Ｗ３はレンズ部品９５を光アイソレータ９３の基準面９３ａに固定している。また、既に説明したように、光学部品３０は、スリーブ４０を用いてＺ軸の方向に関して調芯される（以下、Ｚ調芯と呼ぶ）。ＸＹ調芯およびＺ調芯の結果、光学部品３０は、光アイソレータ９３およびレンズ部品９５を介してパッケージ１３内の半導体発光素子１４に光学的に結合される。
【００７０】
　以上説明したように、本実施の形態の光モジュール１ａ、１ｂによれば、光軸の調整が容易になる。
【００７１】
　（第２の実施の形態）
　図１０は、本実施の形態の光モジュールの構成部品を示す図面である。図１１（Ａ）は、本実施の形態の光モジュールを示す図面である。図１１（Ｂ）は、本実施の形態の光モジュールに含まれるガイド部品を示す図面である。
【００７２】
　図１０および図１１（Ａ）を参照すると、光モジュール２は、光モジュール本体１０ａと、光学部品３０と、スリーブ４０と、別のスリーブ９７と、ガイド部品９９とを備える。
【００７３】
　図１１（Ａ）を参照すると、スリーブ４０は、第１および第２の部分４０ｂ、４０ｃを有している。第１および第２の部分４０ｂ、４０ｃは、軸Ａｘに沿って配列されている。ホルダ３４は、第１および第２の部分３４ｂ、３４ｃを有している。第１および第２の部分３４ｂ、３４ｃは、軸Ａｘに沿って配列されている。ホルダ３４の第２の部分３４ｃは、スリーブ４０の第１の部分４０ｂ内に位置している。ホルダ３４の第１の部分３４ｂは、当該ホルダ３４の一端３４ｄを含んでいる。ホルダ３４の一端３４ｄは、ガイド部品９９の位置決め面９９ｃに突き当てられている。
【００７４】
　スリーブ４０の第２の部分４０ｃは、当該スリーブ４０の一端４０ｄを含んでいる。スリーブ４０の一端４０ｄは、軸Ａｘに交差する面に沿って伸びる端面４０ｅを有している。スリーブ４０の一端４０ｄは、光モジュール本体１０ａ上に位置している。これ故に、光モジュール本体１０ａの基準面（図９（Ａ）に示された基準面１３ｇ、９３ａ、９５ａのいずれかの面）上においてスリーブ４０のためのＸＹ調芯を行うことができる。例えば、光学部品３０は、スリーブ４０の端面４０ｅを用いて光モジュール本体１０ａの基準面９５ａ上において調芯される。また、スリーブ４０に関して光学部品３０のＺ調芯を行うことができる。例えば、光学部品３０は、スリーブ４０の内側面４０ａを用いて光モジュール本体１０ａに関して調芯される。図１１（Ａ）に示されるように、スリーブ４０の一端４０ｄは、溶接部Ｗ４において光モジュール本体１０ａに溶接されている。また、ホルダ３４はスリーブ４０に溶接部Ｗ５において溶接されている。溶接部Ｗ４は、光ファイバ３７の光軸に交差する方向に関してスリーブ４０と光モジュール本体１０ａとを位置決めしている。溶接部Ｗ５は、光ファイバ３７の光軸の方向に関して光学部品３０を位置決めしている。したがって、本実施の形態の光モジュール２によれば、光軸の調整が容易になる。該調芯により、光モジュール本体内の光素子に光学部品が光学的に結合される。
【００７５】
　図１１（Ｂ）を参照すると、ガイド部品９９は、側壁９９ａと、孔９９ｂと、位置決め面９９ｃとを有している。側壁９９ａは、所定軸の方向に伸びている。孔９９ｂは、側壁９９ａによって規定されており、フェルール３２を受け入れるように設けられている。位置決め面９９ｃは、所定軸に交差する面に沿って伸びている。
【００７６】
　光モジュール２では、ホルダ３４がガイド部品９９の位置決め面９９ｃに突き当てられることによって、ガイド部品９９が光学部品３０に位置合わせされる。ガイド部品９９は、光ファイバ３７の光軸の方向に関して位置決めされたホルダ３４に関して位置合わせされる。
【００７７】
　ガイド部品９９の側壁９９ａは、第１〜第３の部分１０１ａ、１０１ｂ、１０１ｃおよび段差１０１ｄを有している。第１〜第３の部分１０１ａ、１０１ｂ、１０１ｃは軸Ａｘの方向に配列されている。側壁９９ａの第１の部分１０１ａは、当該光モジュール２に接続される光コネクタプラグ（例えば、図６（Ａ）に示された参照番号７０）のフェルール（例えば、図６（Ｂ）に示された参照番号７９）を受け入れ可能なように設けられている。第２の部分１０１ｂは、フェルール３２を受け入れる。第３の部分１０１ｃは、フェルール３２およびホルダ３４を受け入れる。段差１０１ｄは、第２の部分１０１ｂと第３の部分１０１ｃとの間に位置している。側壁１０１ａの第３の部分１０１ｃは、光学部品３０のホルダ３４をガイドする内側面１０３を有している。ガイド部品９９の位置決め面９９ｃは孔９９ｂの段差１０１ｄに位置している。光学部品３０のフェルール３２およびホルダ３４は、ホルダ３４がガイド部品９９の内側面１０３にガイドされながら、孔９９ｂに挿入される。光学部品３０は、ホルダ３４がガイド部品９９の位置決め面９９ｃに突き当たるまで、孔９９ｂ内を進むことができる。この突き当てにより、ガイド部品９９は、光学部品３０に対して位置決めされる。好適な実施例では、例えば、ガイド部品９９は金属製であることができる。金属製のガイド部材９９を用いる場合、ガイド部材９９は光学部品３０のホルダ３４に溶接部Ｗ６を介して溶接される。
【００７８】
　ガイド部品９９は、スリーブ４０の第１の部分４０ｂから離れているので、ガイド部材９９とホルダ３４との溶接が容易に行われる。また、スリーブ４０の形状に関係なく、ガイド部品９９の形状を決定することができる。
【００７９】
　本実施の形態の光モジュールでは、スリーブ４０のＸＹ調芯および光学部品３０のＺ調芯を行った後に、光学部品３０のフェルール３２を別のスリーブ９７に挿入している。別のスリーブ９７は、例えば、割スリーブまたは精密スリーブであることができる。別のスリーブ９７を光学部品３０のフェルール３２に取り付けた後に、光学部品３０のホルダ３４をガイド部品９９に固定する。この固定は、レーザ溶接、樹脂接着、あるいは圧入により行われることができる。また、光学部品３０のフェルール３２に別のスリーブ９７を取り付けて組立体を形成した後に、該組立体を光モジュール本体にスリーブ４０を介して調芯することもできる。さらには、光学部品３０のフェルール３２に別のスリーブ９７とガイド部品９９とを取り付けて組立体を形成した後に、該組立体を光モジュール本体にスリーブ４０を介して調芯することもできる。
【００８０】
　以上説明したように、本実施の形態の光モジュール２によれば、光軸の調整が容易になる。
【００８１】
　図１２は、本実施の形態の光モジュールの一変形例を示す図面である。図１２を参照すると、光モジュール２ａは、レセプタクル１０５を更に備えることができる。ガイド部品９９は、側壁９９ａの外面に設けられる突起９９ｄを有している。レセプタクル１０５は、ガイド部品９９の突起９９ｄに突き当たって、ガイド部品９９に位置決めされることができる。例えば、レセプタクル１０５は、ガイド部品９９の突起９９ｄに突き当てられる突き当て面１０５ａと、ガイド部品９９を受け入れる受け入れ孔１０５ｂと、光コネクタプラグにはめ合わされる弾性爪といった接続部１０５ｃとを有している。
【００８２】
　本実施例では、レセプタクル１０５は、ＳＣ型コネクタに対応するレセプタクル構造を有しているけれども、レセプタクル１０５の構造はこれに限定されない。レセプタクル１０５は、例えば、ＬＣ型コネクタ、ＳＣ型コネクタ、ＭＵ型コネクタのいずれかに対応するレセプタクル構造を有することができる。本実施の形態の光モジュール２ａによれば、ピグテールファイバを用いること無く、様々なコネクタに対応するレセプタクル構造を実現できる。
【００８３】
　（第３の実施の形態）
　図１３は、本実施の形態の光モジュールを示す図面である。図１３を参照すると、光モジュール２ｂは、光モジュール本体１０ａと、光学部品３０と、スリーブ４０と、ガイド部品１０７とを備える。
【００８４】
　光モジュール２ｂでは、ガイド部品１０７は、側壁１０７ａと、孔１０７ｂと、位置決め面１０７ｃとを有している。側壁１０７ａは、軸Ａｘの方向に伸びている。孔１０７ｂは、側壁１０７ａによって規定されており、フェルール３２を受け入れるように設けられている。位置決め面１０７ｃは、軸Ａｘに交差する面に沿って伸びている。光学部品３０のホルダ３４は、ガイド部品１０７の位置決め面１０７ｃに突き当てられている。
【００８５】
　光モジュール２ｂでは、ホルダ３４がガイド部品１０７の位置決め面１０７ｃに突き当てられることによって、ガイド部品１０７が光学部品３０に位置合わせされる。ガイド部品１０７は、光ファイバ３７の光軸の方向に関して位置決めされたホルダ３４に関して位置合わせされる。
【００８６】
　ガイド部品１０７の側壁１０７ａは、第１および第２の部分１０９ａ、１０９ｂを有している。第１および第２の部分１０９ａ、１０９ｂは軸Ａｘに沿って配列されている。側壁１０７ａの第１の部分１０９ａは、当該光モジュール２ｂに接続される光コネクタプラグ（例えば、図６（Ａ）に示された参照番号７０）のフェルール（例えば、図６（Ｂ）に示された参照番号７９）を受け入れ可能なように設けられている。第１の部分１０９ａは、光コネクタプラグのフェルールをガイドする内側面１１１を有している。側壁１０７ａの第２の部分１０９ｂでは、内側面１１１は、光学部品３０のフェルール３２をガイドしている。光学部品３０のフェルール３２は、フェルール３２がガイド部品１０７の内側面１１１にガイドされながら、孔１０７ｂ内を進む。フェルール３２は、ホルダ３４がガイド部品１０７の位置決め面１０７ｃに突き当たるまで、孔１０７ｂ内を進むことができる。この突き当てにより、ガイド部品１０７は、光学部品３０に対して位置決めされる。
【００８７】
　ガイド部品１０７は一端１０７ｄおよび他端１０７ｅを有している。孔１０７ｂは、ガイド部品１０７の一端１０７ｄから他端１０７ｅまで伸びている。ガイド部品１０７の位置決め面１０７ｃは、ガイド部品の一端１０７ｄに位置している。
【００８８】
　ガイド部品１０７の一端１０７ｄは、スリーブ４０の一端から離れているので、ガイド部材１０７とホルダ３４との固定が容易に行われる。また、スリーブ４０の形状に関係なく、ガイド部品９９の形状を決定することができる。
【００８９】
　好適な実施例では、例えば、ガイド部品１０７は金属製あるいはセラミック製であることができる。このガイド部品１０７の内径の寸法は、高精度に仕上げられている。これ故に、ガイド部品１０７は精密スリーブとしても働いている。
【００９０】
　金属製のガイド部材１０７を用いる場合、ガイド部材１０７は光学部品３０のホルダ３４に溶接部Ｗ７を介して溶接される。セラミック製のガイド部材１０７を用いる場合、ガイド部材１０７は光学部品３０のホルダ３４に接着用樹脂体Ｒを介して接着される。
【００９１】
　この光モジュールでは、レセプタクル（例えば、図１２に示されたレセプタクル１０５）に光学部品のフェルールを挿入すると、レセプタクルがガイド部品１０７の位置決め面１０７ｇに突き当たる。ガイド部品１０７は、側壁１０７ａの外面に設けられる突起１０７ｆまたは段差を有している。突起１０７ｆおよび段差は、軸Ａｘに交差する方向に伸びる位置決め面１０７ｇを有している。この光モジュールでは、ガイド部品１０７の突起１０７ｆを用いてレセプタクルをガイド部品１０７に位置決めすることができる。レセプタクルは、例えば、ＬＣ型コネクタ、ＳＣ型コネクタ、ＭＵ型コネクタといったコネクタのためのレセプタクル構造を有することができる。
【００９２】
　本実施の形態の光モジュール２ｂによれば、ピグテールファイバを用いること無く、様々なコネクタに対応するレセプタクル構造を実現できる。また、ガイド部品を用いて、Ｚ軸方向に関してレセプタクルをフェルールの一端に正確に位置決めできる。その結果、光コネクタプラグと光モジュールの取り付け、取り外しを繰り返しても、光モジュールからの光出力の変動が抑制される。
【００９３】
　以上説明したように、本実施の形態では、スリーブ４０のＸＹ調芯および光学部品３０のＺ調芯を行った後に、光学部品３０のフェルール３２をガイド部品１０７に挿入する。また、スリーブ４０のＸＹ調芯および光学部品３０のＺ調芯に先立って、光学部品３０のホルダ３４をガイド部品１０７に取り付けることができる。以上説明したように、本実施の形態の光モジュール２ｂによれば、光軸の調整が容易になる。
【００９４】
　（第４の実施の形態）
　図１４（Ａ）、図１４（Ｂ）、図１５（Ａ）、図１５（Ｂ）は、光モジュールを製造する主要な工程を示す図面である。
【００９５】
　図１４（Ａ）に示されるように、光モジュール本体１０ａ、光学部品３０、スリーブ４０を準備する。本実施例では、光モジュール本体１０ａは、光アイソレータ９３およびレンズ部品９５を含んでいる。パッケージ１３内の搭載面８５ａ上では、半導体発光素子１４、モニタ用受光素子１８、レンズ２０の光学的な調芯が完了している。熱電子冷却素子、半導体発光素子１４、モニタ用受光素子１８は、パッケージ１３のリード端子に電気的に接続されている。これ故に、パッケージ１３の所定のリード端子を電源に接続すると、熱電子冷却素子、半導体発光素子１４、モニタ用受光素子１８は動作する。
【００９６】
　図１４（Ｂ）に示されるように、光モジュール１０ａにおいてＸＹＺ調芯を行う。光モジュール本体１０ａ内の半導体発光素子１４のためのリード端子に電源１１９を接続する。また、光モジュール１０ａの基準面（本実施例では基準面９５ａ）上にスリーブ４０および光学部品３０を配置する。光学部品３０の一部は、スリーブ４０内に位置している。ホルダ３４は、組立ツール１２１に保持されている。組立ツール１２１は、Ｘ軸、Ｙ軸、Ｚ軸の各方向に移動可能である。光学部品３０は、光パワー測定ツール１１３に光学的に結合されている。光パワー測定ツール１１３は、例えば、光コネクタ１１５および光パワー測定器１１７を含む。光パワー測定ツール１１３を用いて半導体発光素子１４からの光ＬTを測定する。例えば、ＸＹＺ調芯において、光パワー測定ツール１１３および組立ツール１２１を用いて、スリーブ４０の位置は、基準面９５ａ上においてＸ軸の方向およびＹ軸の方向に調整されることができ、また光学部品３０の位置は、スリーブ４０に沿ってＺ軸の方向に調整されることができる。調芯中に、ホルダ３２はスリーブ４０に接触しており、スリーブ４０は基準面９５ａに接触している。光学部品３０およびスリーブ４０が、ある位置に置かれるとき、光パワー測定ツール１１３は、光パワーの極大を示す信号を出力する。Ｘ軸とＹ軸の方向は、この位置を保ちながら、Ｚ軸の方向に光学部品３０の位置を調整し、光パワー測定ツール１１３が所定の光パワーを出力する位置において、ホルダ３２とスリーブ４０とを固定する。本実施例では、スリーブ４０を光モジュール本体１０ａにＹＡＧレーザ溶接して、溶接部Ｗ５を形成する。
【００９７】
　図１５（Ａ）に示されるように、スリーブ４０を光モジュール本体１０ａにＹＡＧレーザ溶接して、溶接部Ｗ４を形成する。溶接部Ｗ５を形成した後にＸ軸方向およびＹ軸方向に微少な変位が生じることがあり、好適な実施例では、光パワー測定ツール１１３および組立ツール１２１を用いて、必要な場合にはスリーブ４０の位置を基準面９５ａ上においてＸ軸の方向およびＹ軸の方向に再び調整することができる。この微調整の後に、スリーブ４０を光モジュール本体１０ａにＹＡＧレーザ溶接して、溶接部Ｗ４を形成するようにしてもよい。スリーブ４０が光モジュール本体１０ａの基準面９５ａに固定される。
【００９８】
　図１５（Ｂ）に示されるように、Ｘ、Ｙ、Ｚ軸に関する３軸の調芯が完了した後に、光学部品３０のフェルール３２を別のスリーブ９７に挿入する。この後に、光学部品３０のホルダ３４がガイド部品９９の位置決め面９９ｃに突き当たるまで、フェルール３２をガイド部品９９の孔９９ｂに挿入する。突き当てによる位置決めが行われた後に、ホルダ３４をガイド部品９９に固定する。本実施例では、ホルダ３４をガイド部品９９にＹＡＧレーザ溶接して、溶接部を形成する。
【００９９】
　これらの工程を経て、光モジュールが完成する。
【０１００】
　本実施の形態では、光学部品３０およびスリーブ４０を光モジュール本体１０ａに調芯したけれども、図１６（Ａ） に示される光学部品３０およびスリーブ４０に替えて、図１６（Ｂ） に示される組立体１２３を用いることができる。組立体１２３は、ガイド部品９９、別のスリーブ９７、光学部品３０を組み立てることによって形成される。
【０１０１】
　いくつかの実施例を参照しながら、本発明の実施の形態に係る光モジュールを説明してきた。これらの光モジュールでは、半導体発光素子といった光素子とスリーブ４０の他端４０ｆ（Ｚ調芯の固定位置）との距離（図１５（Ｂ）のＤ１）は、該光素子とスリーブ４０の一端４０ｄ（ＸＹ調芯の固定位置）との距離（図１５（Ｂ）のＤ２）より大きい。
【０１０２】
　好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。例えば、光モジュールおよび光コネクタプラグの構造は、本実施の形態に記載された特定の構造に限定されるものではない。また、光素子としては、半導体発光素子だけでなく、半導体受光素子、半導体光集積素子等を使用することができる。したがって、特許請求の範囲およびその精神の範囲から来る全ての修正および変更に権利を請求する。
【図面の簡単な説明】
【０１０３】
【図１】図１（Ａ）は、第１の実施形態に係る光モジュールを示す斜視図であり、図１（Ｂ）は、図１（Ａ）のＩＢ−ＩＢ線断面図である（光コネクタガイドを外した状態を示す）。
【図２】図２は、本実施形態に係る光学部品の構成を示す図である。
【図３】図３（Ａ）および図３（Ｂ）は、光学部品の構成の変形例を示す図である。
【図４】図４は、ＸＹ方向へのトレランス（ズレ）と結合効率との関係を示すグラフである。
【図５】図５（Ａ）は、本実施形態に係る光モジュールを示す斜視図であり、図５（Ｂ）は、図５（Ａ）のＶＢ−ＶＢ線断面図である（光コネクタガイドを取り付けた状態を示す）。図５（Ｃ）は、図５（Ｂ）の光コネクタガイド付近を拡大して示す斜視図である。
【図６】図６（Ａ）は、本実施形態に係る光モジュールに光コネクタプラグを接続した状態を示す斜視図であり、図６（Ｂ）は、図６（Ａ）のＶＩＢ−ＶＩＢ線断面図である。
【図７】図７は、光コネクタプラグの構成を示す斜視図である。
【図８】図８は、本実施形態に係る光モジュールの変形例を示す断面図である。
【図９】図９（Ａ）は、本実施形態に係る光モジュールの別の変形例を示す断面図である。図９（Ｂ）は、本実施形態に係る光モジュールの別の変形例を示す断面図である。
【図１０】図１０は、第２の実施の形態の光モジュールの構成部品を示す図面である。
【図１１】図１１（Ａ）は、本実施の形態の光モジュールを示す図面である。図１１（Ｂ）は、本実施の形態の光モジュールに含まれるガイド部品を示す図面である。
【図１２】図１２は、本実施の形態の光モジュールの一変形例を示す図面である。
【図１３】図１３は、第３の本実施の形態の光モジュールを示す図面である。
【図１４】図１４（Ａ）および図１４（Ｂ）は、光モジュールを製造する主要な工程を示す図面である。
【図１５】図１５（Ａ）および図１５（Ｂ）は、光モジュールを製造する主要な工程を示す図面である。
【図１６】図１６（Ａ）は、光モジュールを製造するための光学部品およびスリーブを示す図面である。図１６（Ｂ）は、光モジュールを製造するための組立体を示す図面である。
【符号の説明】
【０１０４】
　１、１ａ、１ｂ、２、２ａ…光モジュール、１０、１０ａ…光モジュール本体、１３…パッケージ、１４…半導体発光素子、２０…レンズ、３０…光学部品、３２…フェルール、３２ａ…径小部、３２ｂ…径大部、３２ｃ…段差部、３４…ホルダ、３６…光ファイバ挿通孔、３７…光ファイバ、４０…スリーブ、５０…光コネクタガイド、５２…側壁部、５２ａ…突起部、５８…前壁部、５８ａ…挿通孔、８０…光アイソレータ、８３…熱電子冷却素子、８５…搭載部品、８９…ヒートシンク、９１…サブマウント、９３…光アイソレータ、９５…レンズ部品、９７…別のスリーブ、９９…ガイド部品、Ｗ１〜Ｗ４…溶接部、１０５…レセプタクル、９９ｄ…突起、１０７…ガイド部品、１１３…光パワー測定ツール、１１９…電源、１２１…組立ツール
【図１】
2004078205.tif 000003
【図２】
2004078205.tif 000004
【図３】
2004078205.tif 000005
【図４】
2004078205.tif 000006
【図５】
2004078205.tif 000007
【図６】
2004078205.tif 000008
【図７】
2004078205.tif 000009
【図８】
2004078205.tif 000010
【図９】
2004078205.tif 000011
【図１０】
2004078205.tif 000012
【図１１】
2004078205.tif 000013
【図１２】
2004078205.tif 000014
【図１３】
2004078205.tif 000015
【図１４】
2004078205.tif 000016
【図１５】
2004078205.tif 000017
【図１６】
2004078205.tif 000018